(57)【要約】【課題】  デザイン上、繰り返しの配列パターンがなく、変化に富んだ乱形された石組を施工現場で簡単に敷設形成できるようにする。【解決手段】  敷設面に繰り返しパターン形状となって隣接配置する変形多角形の各領域Ｐ１，Ｐ２…内で、石組可能に乱形配置する形状やサイズの異なる複数の石板１Ａ，１Ｂ，１Ｃ…を組み合わせ、異なる石組配列パターンとなる石板ユニット部材１を形成する。ユニット化した石板１Ａ，１Ｂ，１Ｃ…を各領域Ｐ１，Ｐ２…毎に異なる乱形パターンの石組配列形態として順次に配列し、各領域Ｐ１，Ｐ２…毎にデザイン上の繰り返しのない配列パターンとする。また、石板１Ａ，１Ｂ，１Ｃ…の敷設面に、領域パターン６と、領域パターン６の内部に石板１Ａ，１Ｂ，１Ｃ…の外郭形状に応じた個々の石板外郭パターン７とを表示するスタンプ枠材３を備える。【選択図】          図４
0003110645.tif 000002
【実用新案登録請求の範囲】
【請求項１】
敷設面に繰り返しパターン形状となって隣接配置される変形多角形の各領域内において石組可能に乱形配置される形状やサイズの異なる複数の石板を組み合わせて成る石板ユニット部材であって、石板は各領域毎に異なる石組配列パターンを形成して成ることを特徴とする石板ユニット部材。
【請求項２】
石板の周辺には、石板ユニット部材それぞれの外郭形状において、当該石板同士が前後方向、左右方向での側面で互いに隣接配置されたときに相互に嵌め合い可能となる凹凸形状部を有する請求項１記載の石板ユニット部材。
【請求項３】
石板周辺の上縁角部には、当該石板相互が突き合わせ配置された際に目地幅を自動的に形成させる傾斜割模様の切欠斜面部を割設形成した請求項１または２記載の石板ユニット部材。
【請求項４】
敷設施工現場にて石板の敷設面に変形多角形の領域パターンを表示させる領域形成用の外枠部と、領域パターンの内部にそれぞれの石板の外郭形状に応じた個々の石板外郭パターンを表示させる石板外郭形成用の内枠部とから成るスタンプ枠材を備えた請求項１乃至３のいずれか記載の石板ユニット部材。
【考案の詳細な説明】
【技術分野】
【０００１】
この考案は、例えば床面や地面等の敷石、躯体壁、外壁、内壁等の石張り、更には塊状の積み上げ式の擁壁等に使用される例えば天然の石板あるいは石塊等を乱形状に石割り加工して予め組合せユニット化しておき、これらを施工現場に搬入し、搬入状態時の所定の乱形配列形態に従って順次に配列することにより、この乱形配置による敷石、擁壁等が簡単に施工できるようにしたもので、乱形処理等を現場加工に依らずに簡素化することのできる石板ユニット部材に関するものである。
【背景技術】
【０００２】
従来から、敷石、擁壁等を乱形形態で施工するには、施工現場において大きな石板を適当形状の所定大きさの小片状に裁断し、これら小片状の石板を目地を隔てて配置する等して施工しているものである。そのため、かなりの熟練を要し、施工に手間が掛かる面倒さがあり、しかも費用も極めて嵩張るものであったばかりでなく、石板の配置状態が分かるように予め石板割付用の配置図面を作成しておく等の必要があり、非常に面倒な作業となるものであった。
【０００３】
これを解消すべく、この種の現場施工での石組配列による施工方法としては、例えば特開平１０−３３８９０３号公報（特許文献１）、実開昭６２−７１２３１号公報（特許文献２）、特開平４−５５５０１号公報（特許文献３）、特開平４−１９８５０３号公報（特許文献４）等に開示されているような乱形状の形態をユニット化したものがあった。これらはいずれも所定形状の石板を、これを構成する乱形状の要素となる小石板の形状、配列その他を一定のままとしてそれを維持したままで予め配列固定した石板ユニット部材としてユニット化しておき、この石板ユニット部材を施工現場に搬入し、石板ユニット部材における固定化された内部の要素となる小石板の乱形状を維持したままで、石板ユニット部材全体をそれ自体で決められた手順に従って隣接配置して施工するようにしたものである。
【特許文献１】特開平１０−３３８９０３号公報
【特許文献２】実開昭６２−７１２３１号公報
【特許文献３】特開平４−５５５０１号公報
【特許文献４】特開平４−１９８５０３号公報
【考案の開示】
【考案が解決しようとする課題】
【０００４】
しかしながらこのような従来提案の石組配列による施工方法では、例えば特許文献１に係る特開平１０−３３８９０３号公報の場合では外郭形状が凹凸嵌合形状となるようにして隣接配置するも、その石板の配列形態はその全てが同一のデザインを呈し、現場施工後では配列形態の単純な繰り返しになるに過ぎない。しかも従来では工場サイドで形成される目地と現場施工で形成される目地とが混在する場合が多く、このため両目地部に対して経時変化の差が生じて色斑を生じてしまい将来的に見苦しいものとなる。また、従来のように小片状に裁断した石板を目地を隔てて配置する等して施工する場合では、個々の石板が不定型な形状をしているため、目地を隔てて石板を配置する作業が非常に面倒であり、施工者の技量に頼らざるを得ないものとなり、しかも大小の不定型割石をうまく配置しようとしても、目地の間隔が一定せず、仕上がりの美感を悪化させるものであった。
【０００５】
また、特許文献２に係る実開昭６２−７１２３１号公報の場合では、外郭形状が角形に形成されているため、隣接配置した現場施工後では変化性に乏しい。特許文献３に係る特開平４−５５５０１号公報の場合では、乱形状に配列構成した石板ユニット部材の外郭形状が、構成している各石板の辺に沿って形取りされているから、施工現場での敷設配列後では同一パターンが繰り返されるに過ぎない。特許文献４に係る特開平４−１９８５０３号公報の場合では、乱形で連続配置するときの各石板の外形が隣接するもの同士で嵌め合うように凹凸形状としてあるに過ぎず、それらがユニット化されているものではない等の問題点を有していた。
【０００６】
そこでこの考案は叙上のような従来存した諸事情に鑑み案出されたもので、デザイン上、繰り返しの配列パターンがなく、変化に富んだ乱形された石組を石材割付配置図面を使用しなくても施工現場で簡単に且つ低額な施工費用で敷設することができ、石端材の廃棄物を生じさせることなく素人でも簡単に施工できるものとし、また石組施工後の目地材の経時的な色変化の斑を生じさせず、施工者の技量に頼らなくても一定の目地を隔てて石板を容易に配置することができ、しかも石材の乱形配置を現場加工に依らずに簡素化することができる石板ユニット部材を提供することを目的とする。
【課題を解決するための手段】
【０００７】
上述した課題を解決するため、この考案にあっては、敷設面２に繰り返しパターン形状となって隣接配置される変形多角形の各領域Ｐ１，Ｐ２…内において石組可能に乱形配置される形状やサイズの異なる複数の石板１Ａ，１Ｂ，１Ｃ…１ｎを組み合わせて成る石板ユニット部材１であって、石板１Ａ，１Ｂ，１Ｃ…は各領域Ｐ１，Ｐ２…毎に異なる石組配列パターンを形成することで石板ユニット部材１として成るものである。
石板１Ａ，１Ｂ，１Ｃ…の周辺には、石板ユニット部材１それぞれの外郭形状において、当該石板１Ａ，１Ｂ，１Ｃ…同士が前後方向、左右方向での側面で互いに隣接配置されたときに相互に嵌め合い可能となる凹凸形状部を有するものとできる。
石板１Ａ，１Ｂ，１Ｃ…周辺の上縁角部には、当該石板１Ａ，１Ｂ，１Ｃ…相互が突き合わせ配置された際に目地幅を自動的に形成させる傾斜割模様の切欠斜面部４を割設形成することができる。
敷設施工現場にて石板１Ａ，１Ｂ，１Ｃ…の敷設面２に変形多角形の領域パターン６を表示させる領域形成用の外枠部３Ａと、領域パターン６の内部にそれぞれの石板１Ａ，１Ｂ，１Ｃ…の外郭形状に応じた個々の石板外郭パターン７を表示させる石板外郭形成用の内枠部３Ｂとから成るスタンプ枠材３を備えたものとできる。
【０００８】
以上のように構成されたこの考案に係る石板ユニット部材１の石板１Ａ，１Ｂ，１Ｃ…は、敷設面２に繰り返しパターン形状となって隣接配置される変形多角形の各領域Ｐ１，Ｐ２…内において乱形状に石組配置されると共に、各領域Ｐ１，Ｐ２…毎に異なる石組配列パターンを形成させる。
石板１Ａ，１Ｂ，１Ｃ…周辺の凹凸形状部は、石板１Ａ，１Ｂ，１Ｃ…のそれぞれの乱形配列でユニット化した石板ユニット部材１それぞれの外郭形状において、前後方向、左右方向での側面で互いに隣接配置されたときに凹凸形状部が雄雌となって相互に嵌め合い可能とさせる。
石板１Ａ，１Ｂ，１Ｃ…周辺の上縁角部に割設形成した傾斜割模様の切欠斜面部４は、敷設後の目地幅を自動的に形成させる。
スタンプ枠材３は、敷設施工現場にて石板１Ａ，１Ｂ，１Ｃ…の敷設面２に対し、繰り返しパターン形状となるような変形多角形の領域パターン６と、領域パターン６の内部にそれぞれの石板１Ａ，１Ｂ，１Ｃ…の外郭形状に応じた個々の石板外郭パターン７とを表示させる。
【考案の効果】
【０００９】
この考案は以上のように構成されているために、デザイン上、繰り返しの配列パターンがなく、変化に富んだ乱形された石組を石材割付配置図面を使用しなくても施工現場で簡単に且つ低額な施工費用で敷設することができる。また石端材の廃棄物を生じさせることなく素人でも簡単に施工できるものとし、さらに石組施工後の目地材８の経時的な色変化の斑を生じさせず、施工者の技量に頼らなくても一定の目地を隔てて石板１Ａ，１Ｂ，１Ｃ…，１ｎを容易に配置することができる。しかも石板１Ａ，１Ｂ，１Ｃ…の乱形配置を現場加工に依らずに簡素化することができる。
【００１０】
すなわちこれはこの考案において、敷設面２に繰り返しパターン形状となって隣接配置される変形多角形の各領域Ｐ１，Ｐ２…毎にそれぞれ石板１Ａ，１Ｂ，１Ｃ…の異なる乱形状の石組配列パターンを形成して成るからであり、これによって、デザイン上の繰り返しのパターンがなく、変化に富んだ乱形石組を得ることができる。
【００１１】
また従来では互いに同じ配列パターンがユニット化されているのに対し、この考案では個々の互いに異なる配列パターンの１個１個がユニット化されているので、石板ユニット部材１のそれぞれにおける各石板１Ａ，１Ｂ，１Ｃ…の配列パターンは無制限に存在し、その組み合わせも同一のものとはならず、施工現場で敷設構成された隣接配置形態上での各石板１Ａ，１Ｂ，１Ｃ…のデザイン上の繰り返しパターンでない変化に富んだ乱形石組を簡単に形成することができる。
【００１２】
しかも石板ユニット部材１の各石板１Ａ，１Ｂ，１Ｃ…それぞれは軽量化でき、そのために狭い場所での施工の容易性、施工現場への搬入、持ち運びの容易性等が得られるものとなる。さらに石板１Ａ，１Ｂ，１Ｃ…の肉厚を厚くして塊状とすることで、それ自体で積み上げ式の擁壁等を形成することもできる。
【００１３】
石板１Ａ，１Ｂ，１Ｃ…の周辺には、石板ユニット部材１それぞれの外郭形状において、当該石板１Ａ，１Ｂ，１Ｃ…同士が前後方向、左右方向での側面で互いに隣接配置されたときに相互に嵌め合い可能となる凹凸形状部を有するので、敷設施工現場に生じている凹凸面・起伏面等に沿って、石板１Ａ，１Ｂ，１Ｃ…相互による乱形配置を容易に形成することができる。
【００１４】
石板１Ａ，１Ｂ，１Ｃ…周辺の上縁角部には、当該石板１Ａ，１Ｂ，１Ｃ…相互が突き合わせ配置された際に目地幅を自動的に形成させる傾斜割模様の切欠斜面部４を割設形成したので、石割りした石板１Ａ，１Ｂ，１Ｃ…周辺の上縁角部に形成した切欠斜面部４相互が対向配置するも、切欠斜面部４が形成されていない石板１Ａ，１Ｂ，１Ｃ…周辺の下縁角部では隣接する石板１Ａ，１Ｂ，１Ｃ…同士をぴったりと合わせるから、きっちりと並べられしかも目地が不揃いにならない。しかも切欠斜面部４相互が対向配置することにより、目地材８を充填して石板１Ａ，１Ｂ，１Ｃ…同士を固定するのに必要な目地幅を自動的に形成することができ、石板１Ａ，１Ｂ，１Ｃ…相互の突き合わせ固定作業が容易に行なえる。さらに、例えば苔目地等の植物との混合目地も容易に形成することもできる。
【００１５】
また従来は工場サイドで形成された目地と現場施工で形成された目地とで経時変化が異なるため、現場の目地処理による色変化の斑が生じてしまうことで将来的に見苦しくなるのに対して、この考案の目地材８の挿入による石板１Ａ，１Ｂ，１Ｃ…相互の突き合わせ固定はすべて現場施工でのみ行なわれるから、従来のような目地材８の経時的な色変化の斑が生じないものとなり、美感を損なうものとならない。
【００１６】
敷設施工現場にて石板１Ａ，１Ｂ，１Ｃ…の敷設面２に変形多角形の領域パターン６を表示させる領域形成用の外枠部３Ａと、領域パターン６の内部にそれぞれの石板１Ａ，１Ｂ，１Ｃ…の外郭形状に応じた個々の石板外郭パターン７を表示させる石板外郭形成用の内枠部３Ｂとから成るスタンプ枠材３を備え、このスタンプ枠材３を石板１Ａ，１Ｂ，１Ｃ…の敷設面２に押し当てて変形多角形の領域パターン６と、領域パターン６の内部にそれぞれの石板１Ａ，１Ｂ，１Ｃ…の外郭形状に応じた個々の石板外郭パターン７とを表示させることで、そのスタンプ形状の区画配列に従って石板１Ａ，１Ｂ，１Ｃ…を石組配列させるものとしたので、敷設施工現場での敷設面２の各石板１Ａ，１Ｂ，１Ｃ…の配列方法、位置その他が分かり、施工者の技量に頼らなくても、素人でも簡単に施工することができる。しかもこのようなスタンプ枠材３の使用自体が各領域Ｐ１，Ｐ２…毎に異なる乱形パターンの石組配列形態を形成するための割付配置図面としての役割を十分に果たすことができ、施工面全体に対する領域の割り付けも不要となるため、従来のような石板１Ａ，１Ｂ，１Ｃ…の配置状態が分かる割付配置図面を作成する必要性がなくなる。
【００１７】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１８】
以下、図面を参照してこの考案の一実施の形態を説明すると、図において示される符号１は、例えば床面や地面等の敷石等として敷設面２に繰り返しパターン形状となって隣接配置される所定の変形多角形の各領域Ｐ１，Ｐ２…内においてそれぞれ乱形状に石組可能となるように隣接配置される形状やサイズの異なる複数の石板１Ａ，１Ｂ，１Ｃ…１ｎを組み合わせることで各領域Ｐ１，Ｐ２…に対応して複数組となって形成された石板ユニット部材である。
【００１９】
この石板ユニット部材１は、予め例えば工場サイドにおいて、例えば天然石板等を乱形状に石割り加工し、これらを施工現場において所定の配列形態に従って順次に配列するものであり、例えば縦横が約１０００ｍｍ程度の変形多角形を呈する所定形状の複数の領域Ｐ１，Ｐ２…内に一定の目地間隔を開けて例えば１３枚〜１６枚程度の石板１Ａ，１Ｂ，１Ｃ…，１ｎがそれぞれ乱形状となって配置されるように構成されている。そして、複数組の石板ユニット部材１のそれぞれを構成する各石板１Ａ，１Ｂ，１Ｃ…は、互いに隣接配置された四角形、五角形、六角形更にはそれ以上の多角形の変形多角形の各領域Ｐ１，Ｐ２…毎に異なる石組配列パターンを呈するものとなるようにして配置されている。尚、石板１Ａ，１Ｂ，１Ｃ…，１ｎそれぞれの形状は、その角隅部の角度が鋭角とならないように配慮されることが好ましいものである。
【００２０】
具体的には図３に示すように、第１の領域Ｐ１（図３（ａ）参照）では、大小の五角形または六角形の計１５個の石板１Ａ，１Ｂ，１Ｃ…を配列し、第２の領域Ｐ２（図３（ｂ）参照）では、前記第１の領域Ｐ１の石板１Ａ，１Ｂ，１Ｃ…の形状とは若干異なる大小の五角形または六角形とし、且つ８番目の石板１Ｈを四角形とした計１５個の石板１Ａ，１Ｂ，１Ｃ…を配列してある。
【００２１】
第３の領域Ｐ３（図３（ｃ）参照）では、前記第１、第２の領域Ｐ１，Ｐ２の石板１Ａ，１Ｂ，１Ｃ…の形状とは若干異なる大小の五角形または六角形とした計１５個の石板１Ａ，１Ｂ，１Ｃ…を配列してある。
【００２２】
第４の領域Ｐ４（図３（ｄ）参照）では、前記第１、第２、第３の領域Ｐ１，Ｐ２，Ｐ３の石板１Ａ，１Ｂ，１Ｃ…の形状とは若干異なる大小の五角形または六角形とし、且つ７番目の石板１Ｇを四角形としたた計１３個の石板１Ａ，１Ｂ，１Ｃ…を配列してある。  
【００２３】
第５の領域Ｐ５（図３（ｅ）参照）では、前記第１、第２、第３、第４の領域Ｐ１，Ｐ２，Ｐ３，Ｐ４の石板１Ａ，１Ｂ，１Ｃ…の形状とは若干異なる大小の五角形または六角形とし、且つ８番目の石板１Ｈを四角形とした計１６個の石板１Ａ，１Ｂ，１Ｃ…を配列してある。
【００２４】
これら第１乃至第５の領域Ｐ１，Ｐ２，Ｐ３，Ｐ４，Ｐ５の隣接配列パターンの具体的な構成としては、例えば図１に示すように、第１の領域Ｐ１を中央にして第２乃至第５の領域Ｐ２，Ｐ３，Ｐ４，Ｐ５それぞれが左右前後位置に配置させられるものとなっている。また、図示を省略したが、第１乃至第５の領域Ｐ１，Ｐ２，Ｐ３，Ｐ４，Ｐ５それぞれの前後左右にそれぞれの第１乃至第５の領域Ｐ１，Ｐ２，Ｐ３，Ｐ４，Ｐ５のものが隣接配置されるのであり、その隣接配置の形態は施工現場でランダムに選択され、施工されるようになっている。
【００２５】
石板ユニット部材１の製作は、共通した外郭形状を維持したままで、その石板１Ａ，１Ｂ，１Ｃ…の形状、大小等は任意に選定し、またそれに従って石割りして行ない、複数組の石板ユニット部材１それぞれが単独製品となるようにその配列形態を維持したままで工場サイド等にて構成しておく。このとき、石板１Ａ，１Ｂ，１Ｃ…のそれぞれの乱形配列でユニット化した複数組の石板ユニット部材１それぞれの外郭形状において、前後方向、左右方向での側面では、互いに隣接配置されたときに相互に嵌め合い可能な凹凸形状部を形成しておく。尚、石板ユニット部材１それぞれは、例えば大判の１枚の石板素材を適当な多角形の石板１Ａ，１Ｂ，１Ｃ…となるように裁断することで形成され、その形状、配列その他の組合せは適当に裁断時に選定されるものとなっており、それぞれに異なるものとしておくことも、ある程度の数種類のパターンに予め設定したものとしておくことも可能である。このよう乱形組合せ処理作業を施工現場で行わずに、石材加工場等の工場サイドで処理しておくことで、施工現場では産業廃棄物となる端材を生じさせないで済む利点がある。
【００２６】
また石板１Ａ，１Ｂ，１Ｃ…は、例えばサファイアブラウン、バハマブルー、インぺリアルホワイト、タイガースキン等の天然石板材を素材とし、これらを模様的に任意に組み合わせるようにして使用することもできる。
【００２７】
また裁断石割りした石板１Ａ，１Ｂ，１Ｃ…周辺の下縁角部自体はそのままにして上縁角部だけに例えば傾斜割模様の切欠斜面部４を割設形成しておくことで、図５に示すように、石板１Ａ，１Ｂ，１Ｃ…相互の下半分同士を突き合わせることで石板１Ａ，１Ｂ，１Ｃ…相互をきっちりと位置合わせでき、また、これによって互いに対向配置する切欠斜面部４により自動的に目地幅を形成させるようにしておく。
【００２８】
これら形状、大小等の異なる石板１Ａ，１Ｂ，１Ｃ…を当該石板１Ａ，１Ｂ，１Ｃ…の石組配列形態を維持したままで例えば紙製、合成樹脂材製等のシート材を介在させて重ねられ、縛着梱包し、施工現場に搬入するようにしてある。このとき、各石板１Ａ，１Ｂ，１Ｃ…には必要があれば相互に識別できる例えば番号や記号等の符号を例えば裏面等に表示し、また後述するスタンプ枠材３の石板外郭形成用の内枠部３Ｂによる配列区画にも対応する数字、記号その他の符号を表示するようにしておいて、その符号に従い例えば一端左側から他端右側にかけて順番に配列するように敷設することができるようにしてある。  
【００２９】
図２、図４に示すように、変形多角形の領域Ｐ１，Ｐ２…は、敷設施工現場にて石板１Ａ，１Ｂ，１Ｃ…の例えばコンクリート等の路面上に打設したモルタル上に変形多角形の領域パターン６を押し当て表示させるための領域形成用の外枠部３Ａと、領域パターン６の内部にそれぞれの石板１Ａ，１Ｂ，１Ｃ…の外郭形状に応じた個々の石板外郭パターン７を押し当て表示させるための石板外郭形成用の内枠部３Ｂとから成る例えば金属枠板製のスタンプ枠材３によって形成される。このスタンプ枠材３は、敷設される石板ユニット部材１の石板１Ａ，１Ｂ，１Ｃ…の異なる配列パターンそれぞれに対応して各別に構成され、各領域Ｐ１，Ｐ２…内での石板１Ａ，１Ｂ，１Ｃ…の配列が石板外郭パターン７に従って容易に行なえるようにしてある。
【００３０】
尚、このスタンプ枠材３の外枠部３Ａにおける角部は、各内角部分が全て鈍角に形成されており、このため領域Ｐ１，Ｐ２…の角部における内角は、全て鈍角に形成されるものとしてある。さらに、領域Ｐ１，Ｐ２…内に敷設配置される各石板１Ａ，１Ｂ，１Ｃ…の形状は少なくとも４つの角部を有する変形多角形とし、できるだけ三角形の石板を使用しないようにしてある。
【００３１】
また、石板ユニット部材１、スタンプ枠材３等は例えばその外郭形においての前後辺、左右辺それぞれの長さは基本的には例えば１０００ｍｍ程度とすることが予定されるも、これより長くあるいは短く形成されることもあり、更にはほぼ正方形状を呈するようにする場合を基本とことに限らず、前後辺、左右辺それぞれの長さが異なるものとなっていても差し支えないのである。場合によっては、外郭形状を例えば五角形、六角形としてこれ等の組合せによって連続的に隣接配置するようにすることも可能である。
【００３２】
次に、この考案に係る石板ユニット部材１を石組配列する手順の一例について説明すると、先ず石板ユニット部材１の製作は、共通した外郭形状を維持したままで、その石板１Ａ，１Ｂ，１Ｃ…の形状、大小等は任意に選定し、それに従って石割りして行ない、石板ユニット部材１それぞれが単独製品となるようにその石組配列形態を維持したままで例えば工場サイド等にて構成しておく。
【００３３】
すなわち、工場サイドにおいては、敷設面２に繰り返しパターン形状となって隣接配置される変形多角形の各領域Ｐ１，Ｐ２…毎にそれぞれ異なる乱形状の石組配列パターンを形成するように一枚の大きな石材を形状やサイズの異なるよう裁断、石割り加工して小さな複数の石板１Ａ，１Ｂ，１Ｃ…に裁断、分割形成しておき、これら複数の石板１Ａ，１Ｂ，１Ｃ…を任意に組み合わせることで各領域Ｐ１，Ｐ２…毎にユニット化して成る複数組の石板ユニット部材１を形成しておく。
【００３４】
このとき、石板１Ａ，１Ｂ，１Ｃ…のそれぞれの乱形配列でユニット化した石板ユニット部材１それぞれの外郭形状において、前後方向、左右方向での側面では互いに隣接配置されたときに相互に嵌め合い可能となるよう例えば凹凸形状部にしておくものである。
【００３５】
また石割り後には、各石板１Ａ，１Ｂ，１Ｃ…相互の隣接配置を容易にするよう、例えば敷設後の目地幅を自動的に形成するために手作業により例えばノミとハンマー等を使用して傾斜割模様の切欠斜面部４を各石板１Ａ，１Ｂ，１Ｃ…相互の周辺の上縁角部に割設形成しておく。こうすることで敷設面２上に並べられた石板１Ａ，１Ｂ，１Ｃ…の周辺における下縁角部同士をぴったりと突き合わせることで隣接した位置決め配置を容易にし、さらに突き合わせ配置することにより、切欠斜面部４相互が対向配置されることとなって略Ｖ字形の目地部が自動的に揃った状態となって形成され、そこに目地材８を充填して石板１Ａ，１Ｂ，１Ｃ…同士を固定するものとしてある。また、このような手作業による傾斜割模様の切欠斜面部４の形成は、目地幅を若干でも不揃いなものとなることで、施工現場で石板１Ａ，１Ｂ，１Ｃ…を配列したときには、一層の自然石状の雰囲気を形成させるのに役立つ。
【００３６】
そして、これら形状、大小等の異なる石板１Ａ，１Ｂ，１Ｃ…を当該石板１Ａ，１Ｂ，１Ｃ…の石組配列形態を維持したままで例えば紙製、合成樹脂材製等のシート材を介在させて重ねられ、縛着梱包して施工現場に搬入する。
【００３７】
一方、敷設施工現場において、石板１Ａ，１Ｂ，１Ｃ…の敷設面２に砕石を敷設固定し、コンクリート材を打ち、この上にモルタル材を打設し、更には砂地処理等を施した後、この石板１Ａ，１Ｂ，１Ｃ…の敷設面２に、領域形成用の外枠部３Ａと石板外郭形成用の内枠部３Ｂとから成るスタンプ枠材３を押し当てて変形多角形の領域パターン６と、領域パターン６の内部にそれぞれの石板１Ａ，１Ｂ，１Ｃ…の外郭形状に応じた個々の石板外郭パターン７とを表示させておき、そのスタンプ形状の区画配列に従って各石板ユニット部材１毎でその各石板１Ａ，１Ｂ，１Ｃ…を敷設面２の個々の石板外郭パターン７に従って順次置くことで石組配列パターンが形成される（図４参照）。
【００３８】
すなわち、各組の石板ユニット部材１によって各領域毎に乱形状に石組施工するに際し、そのユニット化した石板１Ａ，１Ｂ，１Ｃ…を各領域Ｐ１，Ｐ２…毎に異なる乱形パターンの石組配列形態に従い順次に配列すれば良い。このとき、各石板１Ａ，１Ｂ，１Ｃ…の例えば裏面等に表示してある識別用の符号等を、スタンプ枠材３の石板外郭形成用の内枠部３Ｂによる配列区画にも表示させてある符号等に対応させながら例えば一端左側から他端右側にかけて順番に配列するように敷設する。敷設面２に石組施工した際に、石板１Ａ，１Ｂ，１Ｃ…周辺の側面下半部５が接合された状態で上縁角部に割設形成した切欠斜面部４相互が対向配置することによりそこに略Ｖ字形の目地部が形成され、この目地部内に目地モルタル等の目地材８を充填して石板１Ａ，１Ｂ，１Ｃ…同士を固定する（図５参照）。
【００３９】
尚、本実施の形態における石板ユニット部材１は、床面、地面等に対する敷設配列のみならず、例えば壁面、門柱等の石張り施工、さらには舗装への応用にも施工を可能にする。また石板１Ａ，１Ｂ，１Ｃ…の肉厚を厚くして塊状とすることで、それ自体で積み上げ式の擁壁等となし得る。さらに石板１Ａ，１Ｂ，１Ｃ…の替わりとして例えば木製板、セメント板、タイル等にも応用可能とし、あるいは石板１Ａ，１Ｂ，１Ｃ…の素材利用として例えばチップ材の再利用、焼却灰の利用も可能である。
【図面の簡単な説明】
【００４０】
【図１】この考案の実施の一形態における敷設施工後の乱形石組パターンを示す概略平面図である。
【図２】スタンプ枠材を示す平面図である。
【図３】各領域における乱形石組パターンを示す概略平面図であり、（ａ）は第１の領域、（ｂ）は第２の領域、（ｃ）は第３の領域、（ｄ）は第４の領域、（ｅ）は第５の領域を示す。
【図４】この考案の石組配列施工の手順の一例を説明する斜視図である。
【図５】目地形成の状態を示した一部断面の斜視図である。
【符号の説明】
【００４１】
１…石板ユニット部材                    １Ａ，１Ｂ，１Ｃ，１ｎ…石板
２…敷設面                              ３…スタンプ枠材
３Ａ…外枠部                            ３Ｂ…内枠部
４…切欠斜面部                          ５…側面下半部
６…領域パターン                        ７…石板外郭パターン
８…目地材
Ｐ１…第１の領域                        Ｐ２…第２の領域
Ｐ３…第３の領域                        Ｐ４…第４の領域
Ｐ５…第５の領域
【図１】
0003110645.tif 000003
【図２】
0003110645.tif 000004
【図３】
0003110645.tif 000005
【図４】
0003110645.tif 000006
【図５】
0003110645.tif 000007